(57)【要約】【課題】汲み上げポンプを備えた燃料供給装置の騒音を低減する。【解決手段】燃焼部５に供給される燃油を貯留する貯留タンク１５と、貯留タンク１５のタンク蓋１９に設けられ貯留タンク１５内に外部タンクからの燃油を供給する汲み上げポンプ１８と、一端が汲み上げポンプ１８に接続され、他端がタンク蓋１９に開口された穴部２３を介して貯留タンク１５内に挿通される供給管２１と、を備え、供給管２１は、一端から垂直上方に向かう立ち上げ部２１ａと、立ち上げ部２１ａの上端から平面視で離れた方向へ向かう離れ部２１ｂと、離れ部２１ｂの終端から下方に向かう引き下げ部２１ｃと、引き下げ部２１ｃの下端から平面視で近づく方向へ向かう戻り部２１ｄと、戻り部２１ｄの終端から垂直下方へ向かい貯留タンク１５内に挿通される終端部２１ｅとを備えた形状とした。【選択図】図２
2019219084.tif 000002
【特許請求の範囲】
【請求項１】
燃焼部に供給される燃油を貯留する貯留タンクと、
該貯留タンクの上面を塞ぐタンク蓋と、
該タンク蓋に設けられ前記燃焼部に燃油を供給する燃料ポンプと、
前記貯留タンク内に外部タンクからの燃油を供給する汲み上げポンプと、
前記タンク蓋に設けられ前記貯留タンク内の油面を検知する油面センサと、
一端が前記汲み上げポンプに接続され、他端が前記タンク蓋に開口された穴部を介して前記貯留タンク内に挿通される供給管と、を備え、
前記供給管は、
前記一端から垂直上方に向かう立ち上げ部と、
該立ち上げ部の上端から平面視で前記汲み上げポンプから離れた方向へ向かう離れ部と、
該離れ部の終端から下方に向かう引き下げ部と、
該引き下げ部の下端から平面視で前記汲み上げポンプへ近づく方向へ向かう戻り部と、
該戻り部の終端から垂直下方へ向かい前記貯留タンク内に挿通される終端部と
を備えた形状としたことを特徴とした燃料供給装置。
【請求項２】
前記タンク蓋の穴部には、筒状のクッション部材が介設され、この筒状のクッション部材の内径は、前記供給管の終端部の外径よりも大径としていることを特徴とする請求項１記載の燃料供給装置。
【発明の詳細な説明】
【技術分野】
【０００１】
本発明は、汲み上げポンプを備えた燃料供給装置に関するものである。
【背景技術】
【０００２】
従来よりこの種の燃料供給装置においては、特許文献１に示すように、筐体の内部に、燃油を燃焼させる燃焼部と、該燃焼部に燃油を供給する燃料ポンプと、前記燃焼部に供給される燃油を貯留する貯留タンクと、該貯留タンク内に外部タンクからの燃油を供給する汲み上げポンプと、前記汲み上げポンプから吐出された燃油を前記貯留タンクへ送る逆Ｕ字状の供給管とを備えたものがあった。
【先行技術文献】
【特許文献】
【０００３】
【特許文献１】特許第２８７０２２１号公報
【発明の概要】
【発明が解決しようとする課題】
【０００４】
ところが、この従来のものでは、汲み上げポンプの駆動による振動が逆Ｕ字状の供給管で増幅され、騒音が発生するという課題があった。
【課題を解決するための手段】
【０００５】
本発明の燃料供給装置は上記課題を解決するために、燃焼部に供給される燃油を貯留する貯留タンクと、該貯留タンクの上面を塞ぐタンク蓋と、該タンク蓋に設けられ前記燃焼部に燃油を供給する燃料ポンプと、前記貯留タンク内に外部タンクからの燃油を供給する汲み上げポンプと、前記タンク蓋に設けられ前記貯留タンク内の油面を検知する油面センサと、一端が前記汲み上げポンプに接続され、他端が前記タンク蓋に開口された穴部を介して前記貯留タンク内に挿通される供給管と、を備え、前記供給管は、前記一端から垂直上方に向かう立ち上げ部と、該立ち上げ部の上端から平面視で前記汲み上げポンプから離れた方向へ向かう離れ部と、該離れ部の終端から下方に向かう引き下げ部と、該引き下げ部の下端から平面視で前記汲み上げポンプへ近づく方向へ向かう戻り部と、該戻り部の終端から垂直下方へ向かい前記貯留タンク内に挿通される終端部とを備えた形状とした。
【０００６】
また、前記タンク蓋の穴部には、筒状のクッション部材が介設され、この筒状のクッション部材の内径は、前記供給管の終端部の外径よりも大径とした。
【発明の効果】
【０００７】
本発明によれば、汲み上げポンプの駆動による振動が、離れ部の終端から下方に向かう引き下げ部と、引き下げ部の下端から平面視で汲み上げポンプへ近づく方向へ向かう戻り部とで分散されて、騒音を低減することができる。
【図面の簡単な説明】
【０００８】
【図１】本発明の一実施形態の概略構成図
【図２】同一実施形態の燃料供給装置の断面図
【発明を実施するための形態】
【０００９】
次に、本発明の燃料供給装置を用いた暖房機１を図面に基づいて説明する。
２は暖房機１の筐体、３は筐体２の底板を構成し、周縁に立ち上げ部３ａを有した浅い容器状の下受け皿、４は表示部４ａと操作スイッチ４ｂを有した操作パネルである。
【００１０】
５は灯油等の燃油を燃焼させる燃焼部、６は燃焼部５に燃油を供給する燃料供給装置、７は燃焼部５に屋外から取り込んだ燃焼用空気を供給する燃焼ファン、８は燃焼部５へ着火用の火花を飛ばすスパークロッドを有した着火装置、９は燃焼部５の火炎の有無を検出するフレームロッドを有した炎検出装置である。
【００１１】
１０は燃焼部５の火炎が形成されるバーナヘッド５ａが臨んで燃焼室１０ａを形成する燃焼筒、１１は燃焼筒１０内の上部に配置され、燃焼熱により赤熱して輻射暖房を行うための赤熱筒、１２は燃焼筒１０の上部に形成され、燃焼熱と室内空気とを熱交換する熱交換器、１３は熱交換器１２で放熱後の燃焼排ガスを屋外に放出するための排気筒、１４は熱交換器１２へ室内空気を送風する送風ファンである。
【００１２】
次に、燃料供給装置６について詳しく説明する。
燃料供給装置６は、燃焼部５に供給される燃油を貯留する貯留タンク１５と、貯留タンク１５の燃油を燃焼部５に供給する燃料ポンプ１６と、貯留タンク１５内の燃油の油面高さを検知する油面センサ１７と、貯留タンク１５内の油面が所定高さよりも低下したときに、所定高さまで屋外の外部タンク（図示せず）から汲み上げた燃油を供給する汲み上げポンプ１８とを備えている。貯留タンク１５へ燃油を供給する機構として汲み上げポンプ１８を用いているため、外部タンクと貯留タンク１５との高低差の制限（外部タンクの設置高さの制限）を大幅に緩和できる。
【００１３】
貯留タンク１５は下受け皿３上に配置されていると共に、貯留タンク１５の上面は板金より成るタンク蓋１９で塞がれ、貯留タンク１５の真上のタンク蓋１９に燃料ポンプ１６、油面センサ１７が取り付けられ、貯留タンク１５の真上から外れた部位のタンク蓋１９に汲み上げポンプ１８が取り付けられている。燃料ポンプ１６は、吸入端１６ａが貯留タンク１５内に設けられ、燃料管２０を介して燃焼部５へ燃焼量に応じた量の貯留タンク１５内の燃油を供給する。
【００１４】
油面センサ１７は、支柱部１７ａに上下動可能に磁石を有したフロート１７ｂが設けられ、この支柱部１７ａ内に所定の低油面を検知するための低油面リードスイッチ１７ｃと、所定の高油面を検知するための高油面リードスイッチ１７ｄとが設けられている。ここで、所定の低油面は貯留タンク１５が保つ一定の油面の下限油面で、所定の高油面は貯留タンク１５が保つ一定の油面の上限油面よりも高い油面としている。
【００１５】
汲み上げポンプ１８は、上部に位置する吐出側の端部が供給管２１を介して貯留タンク１５に接続され、下部に位置する吸入側の端部が屋外に設置されている外部タンクから燃油を送油する送油管２２に接続されており、動作することで外部タンクから燃油を貯留タンク１５内に供給し、停止することで外部タンクからの燃油が貯留タンク１５内に供給されないように閉止するものである。
【００１６】
供給管２１は、銅パイプより成り、汲み上げポンプ１８の吐出端から垂直上方に向かう立ち上げ部２１ａと、立ち上げ部２１ａの上端から平面視で汲み上げポンプ１８から離れた方向へ向かう離れ部２１ｂと、離れ部２１ｂの終端から下方に向かう引き下げ部２１ｃと、引き下げ部２１ｃの下端から平面視で汲み上げポンプ１８へ近づく方向へ向かう戻り部２１ｄと、戻り部２1ｄの終端から垂直下方へ向かい貯留タンク１５内に挿通される終端部２１ｅとを備えた形状を有している。
【００１７】
タンク蓋１９には、供給管２１を挿通するための穴部２３が開口され、この穴部２３に軟質ゴム製で筒状のクッション部材２４が取り付けられている。このクッション部材２４の内径は供給管２１の終端部２１ｅの外径よりも大径としている。よって、供給管２１の終端部２１ｅは、固定されること無くクッション部材２４に非接触状態とされている。
【００１８】
次に、２５はこの暖房機１を制御する制御部で、予めプログラムを記憶されたマイクロコンピュータを備え、炎検出装置９や油面センサ１７等の各種のセンサの検出値および操作スイッチ４ｂの出力が入力されて、表示部４ａ、燃焼ファン７、着火装置８、送風ファン１４、燃料ポンプ１６、汲み上げポンプ１８の作動を制御する。
【００１９】
そして、操作スイッチ４ｂが操作されて暖房運転の開始指示があると、制御部２５は、燃料ポンプ１６と燃焼ファン７と送風ファン１４を駆動して、燃料供給装置６からの燃油と燃焼ファン７からの燃焼用空気が燃焼部５に供給され、着火装置８を駆動して燃焼を開始し、燃焼部５からの燃焼ガスは熱交換器１２で室内空気と熱交換され、燃焼排ガスとなって排気管１３を通過して屋外へ排出される一方、室内空気は送風ファン１４によって熱交換器１２で加熱されて温風吹き出し口（図示せず）から吹き出して暖房が行われる。
【００２０】
燃料供給装置６では、暖房運転中に油面が低下して低油面リードスイッチ１７ｃがフロート１７ｂの磁石を検知すると、制御部３５は、汲み上げポンプ１８の駆動を開始すると共に時間カウントを開始し、予め定められた時間が経過すると汲み上げポンプ１８の駆動を停止するようにして、貯留タンク１５内を一定の油面に保つようにしている。ここで、制御部３５は、油面センサ１７の出力を暖房運転の運転中、停止中に関わらず常時監視している。
【００２１】
操作スイッチ４ｂが操作されて暖房運転の停止指示があると、制御部２５は、燃料ポンプ１６と燃焼ファン７とを停止して燃焼を停止させ、その後、燃焼ファン７を再駆動すると共に、所定時間経過するまで燃焼ファン７と送風ファン１４の駆動を継続し、機具内を冷却したら燃焼ファン７と送風ファン１４の駆動を停止して運転を終了する。
【００２２】
このように、汲み上げポンプ１８が駆動することによる振動は、一端が汲み上げポンプ１８に固定されている供給管２１に伝動するが、供給管２１は、燃油の吐出流れの順で、汲み上げポンプ１８から立ち上げ部２１ａで上方へ向かった後、汲み上げポンプ１８から水平方向へ離れた方向へ離れ部２１ｂにより向かい、その後引き下げ部２１ｃで下方へ向かった後、戻り部２１ｄで汲み上げポンプ１８へ近づき、最後に終端部２１ｅで下方へ向かい貯留タンク１５内に挿通される形状となっているため、一度汲み上げポンプ１８から離れて戻る形状により振動が効果的に分散されると考えられることから、従来の逆Ｕ字状の供給管に比べて、汲み上げポンプ１８に起因する騒音を低減することができた。
【００２３】
さらに終端部２１ｅはクッション部材２４と非接触となっているため、供給管２１の振動が貯留タンク１５に伝動されず、汲み上げポンプ１８に起因する騒音を低減することができ、また供給管２１がクッション部材２４に接触しても、金属同士の接触が回避されていると共に、供給管２１の振動が軟質ゴム製のクッション部材２４により低減されて貯留タンク１５に伝動されることから、汲み上げポンプ１８に起因する騒音の増加を抑制することができる。
【００２４】
ここで、本発明と、逆Ｕ字状の供給管を上部に約１．５倍伸ばした比較例１と比べても、本発明の供給管２１を用いた燃料供給装置６の方が、汲み上げポンプ１８に起因する騒音が低減できたことが確認できている。また、本発明と、本発明の供給管２１の離れ部２１ｂの長さを、図２の実施形態の約１．５倍まで伸ばした比較例２と比べると、汲み上げポンプ１８に起因する騒音の大きさに有意な差がないことが確認できている。
【００２５】
なお、本発明は上記一実施形態に限定されるものではなく、要旨を変更しない範囲で種々の改変が可能なものである。
【符号の説明】
【００２６】
５  燃焼部
１５  貯留タンク
１６  燃料ポンプ
１７  油面センサ
１８  汲み上げポンプ
１９  タンク蓋
２１  供給管
２１ａ  立ち上げ部
２１ｂ  離れ部
２１ｃ  引き下げ部
２１ｄ  戻り部
２１ｅ  終端部
２３  穴部
２４  クッション部材
【図１】
2019219084.tif 000003
【図２】
2019219084.tif 000004